(57)【要約】【解決手段】  キャップホルダー１は、円筒状の本体部４と、本体部４に揺動可能に設けられた一対の可動脚部５，５とを備えている。  医師は、可動脚部５，５を折り畳んだ状態でキャップホルダー１を携帯する。使用する際には、医師は可動脚部５，５を起こして、それらと本体部４の端部４Bとで三脚を形成し、その状態でキャップホルダー１を所要箇所に載置する（図７（ａ））。次に、注射針２のキャップ３を本体部４に嵌合させてから注射針２を抜き取る（図７（ｂ））。その後、医師が使用済みの注射針２を本体部４側のキャップ３に差し込むと、注射針２にキャップ３が被せられる（図７（ｃ））。【効果】  携帯に便利で容易に設置可能なキャップホルダー１を提供できる。【選択図】  図７
2014018583.tif 000002
【特許請求の範囲】
【請求項１】
注射針のキャップ又は留置針のキャップを保持可能な筒状の本体部と、上記本体部に揺動可能に設けられた左右一対の可動脚部とを備え、一対の可動脚部を上記本体部に沿って折込んだ折り畳み状態と、上記一対の可動脚部を起して、それらと本体部の一端とにより三脚が形成される使用状態とに切換可能であって、
上記使用状態において所要箇所に設置されると上記本体部が傾斜した状態に維持されて、該本体部に上記キャップを嵌合可能となり、さらに、上記使用状態の本体部にキャップが保持された状態では、該キャップに使用済みの注射針又は留置針を挿入して保持可能となることを特徴とするキャップホルダー。
【請求項２】
上記本体部は透明な合成樹脂からなり、上記使用状態において本体部の上方側となる一端が挿入口となっており、該挿入口は他の部分よりも拡径されたテーパ状となっていることを特徴とする請求項１に記載のキャップホルダー。
【請求項３】
本体部の外周部に接続部が設けられており、該接続部を介して上記一対の可動脚部は本体部に対して揺動可能となっており、上記折り畳み状態においては、両可動部材は本体部と平行になることを特徴とする請求項１又は請求項２に記載のキャップホルダー。
【発明の詳細な説明】
【技術分野】
【０００１】
本発明はキャップホルダーに関し、より詳しくは、使用済みの注射針にキャップを被せるためのキャップホルダーに関する。
【背景技術】
【０００２】
従来、医療現場においては、使用済みの注射針はキャップを被せてから廃棄されるが、医師がキャップを手に持った状態で使用済みの注射針に被せることは禁止されている。これは、医師が、使用済みの注射針を誤って手に刺す危険性を無くすためであり、法令により禁止事項として定められているからである。
そこで、従来では、使用済みの注射針にキャップを被せるためのキャップホルダーが提案されている（例えば特許文献１、特許文献２）。特許文献１のキャップホルダーは、キャップを保持する円筒状の支持部材と、この支持部材を側面に連結したクリップとを備えており、該クリップを所要箇所に挟んで固定することにより、上記支持部材が立てられた状態となる。そして、注射の際に注射針から取り外されたキャップは、上記円筒状の支持部材に挿入して保持させるようになっており、使用済みの注射針は医師が上記支持部材内に保持されたキャップに差し込むようになっている。それにより、医師がキャップを手に持つことなく、使用済みの注射針にキャップが被せられるようになっている。
他方、特許文献２のホルダーは、キャップを保持する係合孔を有する本体部と、この本体部を所要位置に連結するためのＵ字状金具とを備えており、Ｕ字状金具を所要箇所に係合させることで本体部を水平に支持するようになっている。そして、上記本体部の係合孔にキャップを立てた状態で保持させ、その後、使用済みの注射針を上記本体部に保持されたキャップ内に挿入するようになっている。それにより、医師がキャップを手に持つことなく、使用済みの注射針にキャップが被せられるようになっている。
【先行技術文献】
【特許文献】
【０００３】
【特許文献１】特開２００２−１６５８７９号公報
【特許文献２】実開平２−１７１４３号公報
【発明の概要】
【発明が解決しようとする課題】
【０００４】
ところで、上述した従来のキャップホルダーにおいては次のような欠点があった。すなわち、特許文献１のキャップホルダーは、円筒状の支持部材をクリップの側面に取り付けているため、ホルダー全体が嵩張るという欠点があった。そのため、特許文献１のキャップホルダーは、医師が携帯する際に嵩張って携帯しにくいという欠点があった。しかも、クリップを薄板状の箇所に挟んで固定する必要があるので、ホルダーの設置場所が限定されるという欠点があった。
他方、特許文献２のキャップホルダーにおいても、円板状の本体部にＵ字状金具を接続しているので、ホルダー全体として嵩張るという欠点があり、設置場所が限定されていたものである。
以上のように、上述した従来のキャップホルダーにおいては、医師が携帯して持ち歩くには不便であり、ホルダーの設置場所も限定されるという欠点があった。
【課題を解決するための手段】
【０００５】
上述した事情に鑑み、本発明は、注射針のキャップ又は留置針のキャップを保持可能な筒状の本体部と、上記本体部に揺動可能に設けられた左右一対の可動脚部とを備え、一対の可動脚部を上記本体部に沿って折込んだ折り畳み状態と、上記一対の可動脚部を起して、それらと本体部の一端とにより三脚が形成される使用状態とに切換可能であって、
上記使用状態において所要箇所に設置されると上記本体部が傾斜した状態に維持されて、該本体部に上記キャップを嵌合可能となり、さらに、上記使用状態の本体部にキャップが保持された状態では、該キャップに使用済みの注射針又は留置針を挿入して保持可能となるキャップホルダーを提供するものである。
【発明の効果】
【０００６】
このような構成によれば、折り畳み状態ではキャップホルダーは嵩張らないので、医師が白衣のポケットに容易に携帯することができる。また、使用状態においては、所要箇所にキャップホルダーを載置することで容易に設置することができる。したがって、携帯に便利で、かつ容易に設置可能なキャップホルダーを提供することができる。
【図面の簡単な説明】
【０００７】
【図１】本発明の一実施例を示す正面図。
【図２】図１の右側面図。
【図３】図２のＩＩＩ−ＩＩＩ線に沿う断面図。
【図４】図２における可動脚部を起こした状態を示す正面図。
【図５】図４の平面図。
【図６】図１に示す可動脚部を起こして使用状態となったキャップホルダーの平面図。
【図７】図６に示した使用状態のキャップホルダーを設置して使用する際の作業工程を示す図。
【発明を実施するための形態】
【０００８】
以下、図示実施例について本発明を説明すると、図１ないし図７において、１はキャップホルダーであり、このキャップホルダー１は使用済みの注射針２にキャップ３を被せるために用いられるものである（図７（ｃ）参照）。
本実施例のキャップホルダー１は、注射針２用のキャップ３を保持可能な円筒状の本体部４と、この本体部４の左右両脇に揺動可能に設けられた一対の可動脚部５、５と、それら可動脚部５、５を本体部４に接続するための接続部６とから構成されている。このキャップホルダー１を構成する各部材は全て合成樹脂を材料として製造されている。
【０００９】
本体部４は透明な合成樹脂からなり、本体部４の内径は、キャップ３の先端側となる小径部３Ａを隙間無く嵌合できる寸法に設定されている。なお、従来公知のとおりキャップ３は段付筒状の合成樹脂からなり、先端側が小径部３Ａとなるとともに後端側が大径部３Ｂとなっている。使用前の状態では、キャップ３が注射針２に被せられた状態となっている（図７（ａ））。
キャップホルダー１の本体部４の全長（軸方向長さ）は、両可動脚部５，５よりも長く、かつ、キャップ３の小径部３Ａの２倍程度の長さに設定されている（図７（ａ）〜図７（ｄ）参照）。
本体部４における軸方向の一端は挿入口４Ａとなっており、軸方向の他端４Ｂも閉鎖せずに開口させている。挿入口４Ａは、本体部４の他の箇所よりも拡径されたテーパ状に形成されている。それにより、キャップ３の小径部３Ａを本体部４内に挿入しやすくなっている。
【００１０】
接続部６は挿入口４Ａに近い本体部４の外周部に固定されており、接続部６における両側には、左右対称となる位置に傾斜部６Ａ，６Ａが形成されている。これら傾斜部６Ａ、６Ａは、本体部４の軸心に対して４５度傾斜させて形成されており、傾斜部６Ａ，６Ａの中央にはそれぞれ係合孔６Ｂ，６Ｂが穿設されている（図３参照）。
他方、各可動脚部５，５の上端部には、可動脚部５，５の軸心に対して４５°傾斜させた傾斜面５Ａ，５Ａが形成されるとともに、これらの傾斜面５Ａ，５Ａの中央部に係合凸部５Ｂ，５Ｂが形成されている。
そして、一方の可動脚部５の係合凸部５Ｂを一方の傾斜部６Ａの係合孔６Ｂに係合させてあり、他方の可動脚部５の係合凸部５Ｂを他方の傾斜部６Ａの係合孔６Ｂに係合させている（図３参照）。係合凸部５Ｂの先端は先太になっており、上記係合孔６Ｂに一旦係合されると脱落しないようになっている。
これにより、各可動脚部５，５は、上記傾斜部６Ａ，６Ａの係合孔６Ｂ、６Ｂを回転中心として本体部４に対して揺動できるようになっている。
【００１１】
上記左右一対の可動脚部５，５が折り込まれて本体部４の両脇に近接し、それと平行になった状態が折り畳み状態となっている（図１〜図３参照）。この折り畳み状態では、可動脚部５，５の下端５Ｃ，５Ｃと本体部５の端部４Ｂと長手方向の同じ位置に揃うようになっている。そして、この折り畳み状態では、キャップホルダー１全体が小さく折り畳まれて棒状となるので、医師が白衣のポケット等に入れてキャップホルダー１を携帯しやすくなっている。なお、上記係合孔６Ｂ、６Ｂと係合凸部５Ｂ，５Ｂの外周面との隙間は小さく、それらの間には摩擦抵抗がある。そのため、医師が特に触らない自然な折り畳み状態では、両可動脚部５，５は本体部４の両脇に沿った状態に維持されるようになっている。
他方、この折り畳み状態から両可動脚部５，５が医師によって本体部４から所要角度揺動されて起されると、キャップホルダー１は使用状態となる（図４〜図６参照）。前述したように、上記係合孔６Ｂ、６Ｂと係合凸部５Ｂ，５Ｂの外周面との間には摩擦抵抗があるため、使用状態においては特に強い力が作用しない限り、両可動脚部５，５は本体部４に対して傾斜状態に維持される。
そして、本実施例のキャップホルダー１は、この使用状態となると、両可動脚部５，５と本体部４の他端４Ｂとにより三脚が形成されるようになっている。従って、この使用状態となれば、キャップホルダー１を所要箇所に単に載置するだけで容易に設置することができる（図４〜図７参照）。この使用状態において所要箇所にキャップホルダー１が設置されると、挿入口４Ａが上端に位置し、本体部４全体が４５°程度の傾斜状態に維持されるようになっている（図７参照）。
【００１２】
本実施例のキャップホルダー１は以上のように構成されており、このキャップホルダー１は医療現場において以下のようにして使用される。
すなわち、使用前においては、図１ないし図３に示すように、キャップホルダー１は折り畳み状態となっており、その状態のキャップホルダー１を医師は白衣のポケットに入れて携帯する。
そして、医師が注射をするために患者のベッド１１の傍まで移動したら、医師は折り畳み状態のキャップホルダー１をポケットから取り出してから可動脚部５，５を起してキャップホルダー１を使用状態とする（図４〜図６参照）。そして、医師は、使用状態としたキャップホルダー１を患者のベッド１１上に載置する。これにより、キャップホルダ１をベッド１１上に容易に設置することができる（図７（ａ）参照）。これにより、本体部４は挿入口４Ａが上端となる傾斜状態となってベッド１１上に支持される。
【００１３】
その状態において、医師が挿入口４Ａ内にキャップ３の小径部３Ａを挿入して嵌合させることで、使用前の注射針２のキャップ３が本体部４に保持される（図７（ａ）、図７（ｂ）参照）。この後、医師は注射針２をキャップ３から抜き取って図示しないシリンジに装着した後に患者に注射を打つ。
その後、医師が使用済みの注射針２を上記キャップホルダ１に保持されたキャップ３に挿入して嵌合する（図７（ｃ）参照）。それにより、医師がキャップ３を手で掴むことなく使用済みの注射針２にキャップ３が被せられる。この時、注射針２に確実にキャップ３が被せられたことは、透明な本体部４を介して医師が容易に目で見て確認することができる。
この後、医師は、キャップ３が被せられた使用済みの注射針２をキャップホルダ１からキャップ３ごと抜き取って白衣のポケットに入れるとともに、キャップホルダー１を持ち上げて前述した折り畳み状態に戻してから白衣のポケットにしまえば良い（図７（ｄ）参照）。これにより、医師は使用後の注射針２を安全に携帯することができ、かつ、折り畳み状態のキャップホルダー１を容易に携帯することができる。
この後、医師はキャップ３が取り付けられた使用済みの注射針２とキャップホルダー１を携帯して所定の廃棄場所まで移動したら、キャップ３が被せられた使用済みの注射針２を回収ボックスに廃棄すればよい。
【００１４】
以上のように、本実施例のキャップホルダー１は、使用しないときには嵩張らない折り畳み状態となるので、折り畳み状態のキャップホルダー１を医師は白衣のポケット等に入れて容易に携帯することができる。
他方、使用する際には両可動脚部５，５を起してキャップホルダー１を使用状態とすることで、本体部４の他端４Ｂと可動脚部５，５とによって三脚が形成されるようになっている。その使用状態においては、例えば患者のベッド上や布団の上などの所要箇所に載置するだけでキャップホルダー１を容易に設置することができる。そのようにキャップホルダー１が設置されると本体部４が傾斜状態に維持されるので、本体部４に対するキャップ３の嵌合が容易であり、しかも、本体部３に保持されたキャップ３への使用済みの注射針２の挿入も容易に行うことができる。
以上のように、本実施例によれば、嵩張らず容易に携帯することができ、しかも所要箇所に容易に設置可能なキャップホルダー１を提供することができる。
【００１５】
なお、上述した実施例はキャップホルダー１を用いて一般的な注射針２にキャップ３を被せる場合について説明しているが、上述したような一般的な注射針２ではなく留置針にキャップを被せる場合にも本発明のキャップホルダー１を適用できることは勿論である。
また、上記実施例では、本体部４は円筒状に形成されていたが、本体部４を断面が方形となる筒状に形成し、挿入口４Ａとその隣接下方側となる内周部を断面円形に形成するようにしても良い。
さらに、上記実施例では、折り畳み状態においては可動脚部５，５が本体部４の左右両脇に沿うように構成しているが、例えばカメラの三脚のように可動脚部５，５を相互に当接させた状態で本体部４の前面に沿わせるようにしても良い。
【符号の説明】
【００１６】
１‥キャップホルダー                    ２‥注射針
３‥キャップ                            ４‥本体部
４Ａ‥挿入口                            ４Ｂ‥他端
５，５‥可動脚部
【図１】
2014018583.tif 000003
【図２】
2014018583.tif 000004
【図３】
2014018583.tif 000005
【図４】
2014018583.tif 000006
【図５】
2014018583.tif 000007
【図６】
2014018583.tif 000008
【図７】
2014018583.tif 000009